(57)【要約】【課題】  １つのスイッチの操作でテレビと呼出装置の操作を行なうことが可能な接点出力付き１入力リモコンを提供する。【解決手段】  光信号発生部１３と、プッシュボタンスイッチ１１と、プッシュボタンスイッチ１１の指令信号を入力とし光信号発生部１３に制御用の信号を出力する制御部１２とを有し、制御部１２には、プッシュボタンスイッチ１１のオンからオフの期間がＰ秒未満の場合に光信号発生部１３からテレビのチャンネル切り替え信号を発生させるチャンネル切り替え用信号発生器２３と、オンからオフの期間がＰ秒以上でＱ秒未満の場合に光信号発生部１３からテレビの電源をオンオフする電源信号を発生させるテレビ電源操作用信号発生器２９と、オンからオフの期間がＱ秒以上であるときに呼出装置３６の動作スイッチをオンする接点信号を発生する接点信号発生器３８とを有する。【選択図】        図１
0003113293.tif 000002
【実用新案登録請求の範囲】
【請求項１】
光信号発生部と、１つのプッシュボタンスイッチと、該プッシュボタンスイッチの指令信号を入力とし、前記光信号発生部に制御用の信号を出力する制御部と、前記制御部へ電力を供給する電源部と、前記光信号発生部、前記制御部、及び前記電源部を内蔵し、前記プッシュボタンスイッチの操作部を一部露出させて保持するケースとを有し、
前記制御部には、前記プッシュボタンスイッチのオンからオフの期間がＰ秒未満の場合、前記光信号発生部からテレビのチャンネルを順次切り替えるチャンネル切り替え信号を発生させるチャンネル切り替え用制御信号を該光信号発生部に入力するチャンネル切り替え用信号発生器と、前記プッシュボタンスイッチのオンからオフの期間がＰ秒以上でＱ秒未満の場合に、前記光信号発生部から前記テレビの電源をオンオフする電源信号を発生させるテレビオンオフ用制御信号を該光信号発生部に入力するテレビ電源操作用信号発生器と、前記プッシュボタンスイッチのオンからオフの期間がＱ秒以上であることを検知して、呼出装置の動作スイッチをオンする接点信号を発生する接点信号発生器とを有することを特徴とする接点出力付き１入力リモコン。
【請求項２】
請求項１記載の接点出力付き１入力リモコンにおいて、前記Ｐ秒は０．５秒以上で２秒以下の範囲、前記Ｑ秒は３秒以上で７秒以下の範囲にあることを特徴とする接点出力付き１入力リモコン。
【請求項３】
請求項１及び２のいずれか１項に記載の接点出力付き１入力リモコンにおいて、前記制御部には、前記接点信号の出力と同時に作動する動作確認用の報知手段が設けられていることを特徴とする接点出力付き１入力リモコン。
【請求項４】
請求項１〜３のいずれか１項に記載の接点出力付き１入力リモコンにおいて、前記電源部は電力源として電池を備えていることを特徴とする接点出力付き１入力リモコン。
【請求項５】
請求項１〜４のいずれか１項に記載の接点出力付き１入力リモコンにおいて、前記接点信号発生器の動作電圧は、前記チャンネル切り替え用信号発生器及び前記テレビ電源操作用信号発生器の動作電圧のいずれよりも低いことを特徴とする接点出力付き１入力リモコン。
【請求項６】
請求項１〜５のいずれか１項に記載の接点出力付き１入力リモコンにおいて、前記制御部からは、前記ケースと分離して設置される外部光信号発生ユニット内に設けられた第２の光信号発生部に前記チャンネル切り替え用制御信号及び前記テレビオンオフ用制御信号が入力されることを特徴とする接点出力付き１入力リモコン。
【請求項７】
請求項１〜６のいずれか１項に記載の接点出力付き１入力リモコンにおいて、前記制御部には、前記プッシュボタンスイッチと共に、又は該プッシュボタンスイッチに代わって指令信号を入力する外部スイッチが接続されることを特徴とする接点出力付き１入力リモコン。
【請求項８】
請求項１〜７のいずれか１項に記載の接点出力付き１入力リモコンにおいて、前記制御部には、前記テレビオンオフ用制御信号の出力と同時に作動する動作確認用の第２の報知手段が設けられていることを特徴とする接点出力付き１入力リモコン。
【請求項９】
請求項１〜８のいずれか１項に記載の接点出力付き１入力リモコンにおいて、前記光信号発生部は、前記チャンネル切り替え信号及び前記電源信号を発生する信号発生器と、該信号発生器で発生した該チャンネル切り替え信号及び該電源信号を光信号に変換する光信号発生器と、該信号発生器及び該光信号発生器を接続し該信号発生器側にケーブル巻き取り機構を備えた長尺ケーブルとを有し、前記光信号発生器は前記ケース内に取り出し可能に収容されていることを特徴とする接点出力付き１入力リモコン。
【考案の詳細な説明】
【技術分野】
【０００１】
本考案は、１つのスイッチでテレビと呼出装置の操作を行なう接点出力付き１入力リモコンに関する。
【背景技術】
【０００２】
従来、高齢者にとって身近な存在であるテレビの操作用のリモコンに緊急コール発信用の非常呼出キーを設け、通常はリモコンをテレビの操作に使用し、緊急時には非常呼出キーを操作して緊急事態を看護者等に通報する医療用非常呼出システムが提案されている（例えば、特許文献１参照）。
【０００３】
【特許文献１】特開２００３−７７０８０号公報
【考案の開示】
【考案が解決しようとする課題】
【０００４】
しかしながら、医療用非常呼出システムを構築するには、データ放送をサポートするデジタル放送サービスと、デジタル放送サービスの受信可能なテレビを用いる必要があるため、現時点では使用者が限定されるという問題がある。また、使用するリモコンは健常者を想定した通常のテレビ視聴用リモコンに非常呼出キーを設けたもので、しかも、非常呼出キーは誤操作を防止するカバーで覆われているため、運動能力が低減した高齢者や障害者にはテレビ操作と共に非常呼出キー操作を行なうのが非常に難しいという問題がある。
一方、運動能力が低減した高齢者や障害者を対象として、スイッチの押し時間（入力時間）の長短によりテレビの操作（例えば、電源のオンオフ及びチャンネル送り）を可能にするテレビ視聴用のリモコン（例えば、株式会社ライベックス製ワンタッチＴＶリモコン）が販売されているが、テレビ専用のため緊急時に呼出装置を操作する機能は設けられていない。このため、呼出装置を操作するには専用のスイッチを別に設ける必要があるが、複数のスイッチの操作が困難な者には緊急時に容易に対応ができないという問題がある。また、頸髄損傷や筋ジストロフィーのような重度に運動能力が低下した者を対象に、テレビや呼出装置等の身の回りの各種機器を操作できる環境制御装置といった専用の機器も実用化されているが、非常に高価なため、機器の使用者が限定されてしまうという問題がある。
【０００５】
本考案はかかる事情に鑑みてなされたもので、１つのスイッチの操作でテレビと呼出装置の操作を行なうことが可能な接点出力付き１入力リモコンを提供することを目的とする。
【課題を解決するための手段】
【０００６】
前記目的に沿う本考案に係る接点出力付き１入力リモコンは、光信号発生部と、１つのプッシュボタンスイッチと、該プッシュボタンスイッチの指令信号を入力とし、前記光信号発生部に制御用の信号を出力する制御部と、前記制御部へ電力を供給する電源部と、前記光信号発生部、前記制御部、及び前記電源部を内蔵し、前記プッシュボタンスイッチの操作部を一部露出させて保持するケースとを有し、
前記制御部には、前記プッシュボタンスイッチのオンからオフの期間がＰ秒未満の場合、前記光信号発生部からテレビのチャンネルを順次切り替えるチャンネル切り替え信号を発生させるチャンネル切り替え用制御信号を該光信号発生部に入力するチャンネル切り替え用信号発生器と、前記プッシュボタンスイッチのオンからオフの期間がＰ秒以上でＱ秒未満の場合に、前記光信号発生部から前記テレビの電源をオンオフする電源信号を発生させるテレビオンオフ用制御信号を該光信号発生部に入力するテレビ電源操作用信号発生器と、前記プッシュボタンスイッチのオンからオフの期間がＱ秒以上であることを検知して、呼出装置の動作スイッチをオンする接点信号を発生する接点信号発生器とを有する。
これによって、１つのプッシュボタンスイッチの操作方法を変えることで、テレビ電源のオンオフ、テレビのチャンネル切り替え、及び呼出装置の操作を行なうことができる。
【０００７】
本考案に係る接点出力付き１入力リモコンにおいて、前記Ｐ秒は０．５秒以上で２秒以下の範囲、前記Ｑ秒は３秒以上で７秒以下の範囲にすることができる。
これによって、テレビのチャンネル切り替え、テレビの電源オンオフ、及び呼出装置の操作用の接点信号の発生の各指令を明確に行なうことができると共に、テレビの操作を快適に行なうことができる。ここで、チャンネルの切り替え操作は、ある程度の速さの応答性が要求されるので、Ｐ秒は０．５秒以上で２秒以下の範囲に設定した。また、テレビの電源のオンオフ操作は操作確認が要求されるので、動作確認が十分に可能な期間として、Ｑ秒は３秒以上で７秒以下の範囲とした。
【０００８】
本考案に係る接点出力付き１入力リモコンにおいて、前記制御部には、前記接点信号の出力と同時に作動する動作確認用の報知手段が設けられていることが好ましい。これによって、呼出装置の操作用の接点信号が発生したことが確認できる。
【０００９】
本考案に係る接点出力付き１入力リモコンにおいて、前記電源部は電力源として電池を備えていることが好ましい。これによって、例えば、コンセントと接点出力付き１入力リモコンを接続する電源配線が不要になり、接点出力付き１入力リモコンに接続される配線数を少なくできる。
ここで、前記接点信号発生器の動作電圧は、前記チャンネル切り替え用信号発生器及び前記テレビ電源操作用信号発生器の動作電圧のいずれよりも低いことが好ましい。これによって、テレビ操作ができなくなったことで電池の電圧低下、すなわち、電池の消耗が顕著になったことが判ると共に、電池の消耗を抑制して接点信号発生器の動作を維持することができる。
【００１０】
本考案に係る接点出力付き１入力リモコンにおいて、前記制御部からは、前記ケースと分離して設置される外部光信号発生ユニット内に設けられた第２の光信号発生部に前記チャンネル切り替え用制御信号及び前記テレビオンオフ用制御信号を入力することができる。
これによって、接点出力付き１入力リモコンの位置に制約を受けずに外部光信号発生ユニットをテレビ操作に最適な場所に置くことができ、テレビの操作を確実に行なうことができる。
【００１１】
本考案に係る接点出力付き１入力リモコンにおいて、前記制御部には、前記プッシュボタンスイッチと共に、又は該プッシュボタンスイッチに代わって指令信号を入力する外部スイッチを接続することができる。
これによって、使用者の状況に応じてプッシュボタンスイッチよりも操作し易い最適なスイッチを選定して使用することができる。
【００１２】
本考案に係る接点出力付き１入力リモコンにおいて、前記制御部には、前記テレビオンオフ用制御信号の出力と同時に作動する動作確認用の第２の報知手段が設けられていることが好ましい。
これによって、テレビ電源をオンオフするためのテレビオンオフ用制御信号が発生したことが確認できる。
【００１３】
本考案に係る接点出力付き１入力リモコンにおいて、前記光信号発生部は、前記チャンネル切り替え信号及び前記電源信号を発生する信号発生器と、該信号発生器で発生した該チャンネル切り替え信号及び該電源信号を光信号に変換する光信号発生器と、該信号発生器及び該光信号発生器を接続し該信号発生器側にケーブル巻き取り機構を備えた長尺ケーブルとを有し、前記光信号発生器は前記ケース内に取り出し可能に収容されていることが好ましい。
これによって、光信号発生器をケース内に収容させた状態でテレビの操作を行なうことができると共に、必要に応じて光信号発生器をケース内から引き出して最適な場所に置くことができる。
【考案の効果】
【００１４】
請求項１〜９記載の接点出力付き１入力リモコンにおいては、１つのプッシュボタンスイッチの操作方法を変えることで、テレビ電源のオンオフ、チャンネル切り替え、及び呼出装置の操作用の接点信号の発生を行なうことができるので、運動能力が低下した高齢者や広範囲の障害度の障害者が容易に操作することが可能になる。
【００１５】
特に、請求項２記載の接点出力付き１入力リモコンにおいては、テレビのチャンネル切り替え、テレビの電源オンオフ、及び呼出装置の操作用の接点信号の発生の各指令を明確に行なうことができ、誤操作を防止することが可能になる。
【００１６】
請求項３記載の接点出力付き１入力リモコンにおいては、呼出装置の操作用の接点信号が発生したことが確認でき、呼出装置が作動していることを間接的に把握することが可能になる。
【００１７】
請求項４記載の接点出力付き１入力リモコンにおいては、接点出力付き１入力リモコンに接続される配線数を少なくでき、介助行為を容易に行なうことができると共に、介助行為時の断線事故を少なくすることが可能になる。
【００１８】
請求項５記載の接点出力付き１入力リモコンにおいては、テレビ操作ができなくなったことから電池交換時期を確実に把握することが可能になる。また、電池の消耗を抑制して接点信号発生器の動作を維持するので、電池交換時期に達しても緊急時の対応を取ることができる。
【００１９】
請求項６記載の接点出力付き１入力リモコンにおいては、接点出力付き１入力リモコンの位置の制約を受けずにテレビの操作を行なうことができ、接点出力付き１入力リモコンを使用者が操作し易い位置に置くことが可能になる。
【００２０】
請求項７記載の接点出力付き１入力リモコンにおいては、使用者の状況に応じてプッシュボタンスイッチよりも操作し易い最適なスイッチを選定して使用することができ、接点出力付き１入力リモコンの利用可能な者の範囲を拡大することが可能になる。
【００２１】
請求項８記載の接点出力付き１入力リモコンにおいては、テレビオンオフ用制御信号が発生したことが確認でき、テレビ電源をオンオフする操作が行なわれたことを把握することが可能になる。
【００２２】
請求項９記載の接点出力付き１入力リモコンにおいては、必要に応じて光信号発生器をケース内から引き出して最適な場所に置くことができ、テレビ操作を確実に行なうことが可能になる。
【考案を実施するための最良の形態】
【００２３】
続いて、添付した図面を参照しつつ、本考案を具体化した実施の形態につき説明し、本考案の理解に供する。
ここで、図１は本考案の一実施の形態に係る接点出力付き１入力リモコンのブロック図、図２（Ａ）、（Ｂ）、（Ｃ）、及び（Ｄ）はそれぞれ同接点出力付き１入力リモコンの正面図、側面図、背面図、及び平面図、図３は同接点出力付き１入力リモコンに外部光信号発生ユニット及び外部スイッチを接続した状態を示す説明図、図４は同接点出力付き１入力リモコンのプッシュボタンスイッチの操作と、テレビオンオフ用制御信号の発生、チャンネル切り替え用制御信号の発生、呼出装置用の接点信号の発生、及びブザー用の接点信号の発生との関係を示す説明図、図５（Ａ）、（Ｂ）はそれぞれ同接点出力付き１入力リモコンの変形例に係る斜視図、図６は同接点出力付き１入力リモコンの動作状況を示すフロー図である。
【００２４】
図１、図２に示すように、本考案の一実施の形態に係る接点出力付き１入力リモコン１０は、１つのプッシュボタンスイッチ１１と、プッシュボタンスイッチ１１からの指令信号に応じて各種制御用の信号を出力する制御部１２と、制御部１２からの制御信号に応じてテレビ受像機の操作用の信号を発生する光信号発生部１３と、制御部１２へ電力を供給する電源部１４と、光信号発生部１３、制御部１２、及び電源部１４を内蔵し、プッシュボタンスイッチ１１の操作部１５を一部露出させて保持するケース１６とを有している。更に、図３に示すように、接点出力付き１入力リモコン１０には、プッシュボタンスイッチ１１に代わって指令信号を入力する外部スイッチ１７と、ケース１６と分離して設置されテレビ受像機の操作用の信号を発生する外部光信号発生ユニット１８が接続されている。以下、これらについて詳細に説明する。
【００２５】
プッシュボタンスイッチ１１は、プッシュボタンスイッチ１１の操作部１５に荷重がかけられて操作部１５が押し込まれた状態になったときにスイッチ接点同士が接触してオン状態となり、操作部１５にかけられた荷重が除かれて操作部１５が基に戻ったときにスイッチ接点同士が離れてオフ状態になる。このため、操作部１５を押し込んでオン状態にしてから操作部１５を戻してオフ状態にするまでの期間の長さで指令信号の内容を指定することができる。
また、光信号発生部１３は、テレビの電源をオンオフする電源信号及びテレビのチャンネルを順次切り替えるチャンネル切り替え信号を発生する信号発生器１９と、信号発生器１９からの電源信号及びチャンネル切り替え信号を光信号に変換する光信号発生器の一例である赤外線発光器２０とを有している。
【００２６】
制御部１２には、プッシュボタンスイッチ１１のオンからオフの期間が、例えば、Ｐ秒（０．５〜２秒、例えば、１秒）未満であるかを判定する機能を備えた第１時間計測手段２１と、第１時間計測手段２１がＰ秒未満と判定した場合に、テレビのチャンネルを順次切り替えるチャンネル切り替え信号を発生させるチャンネル切り替え用制御信号を光信号発生部１３の信号発生器１９に入力する機能を備えた第１信号発生手段２２を有するチャンネル切り替え用信号発生器２３が設けられている。また、チャンネル切り替え用信号発生器２３には、外部スイッチ１７からの指令信号を第１時間計測手段２１に入力する外部スイッチ入力端子２４と、第１信号発生手段２２からのチャンネル切り替え用制御信号を外部に出力するチャンネル用信号出力端子２５が設けられている。なお、外部スイッチ１７は、例えば、プッシュボタンスイッチ１１と実質的に同一の作用を有する構成とすることができる。また、外部スイッチを、プッシュボタンスイッチと共に指令信号が入力できるようにしてもよい。
【００２７】
制御部１２には、第１時間計測手段２１がＰ秒以上と判定したことを受けて、プッシュボタンスイッチ１１がオフとなるまでの期間がＱ秒（３〜７秒、例えば、３秒）未満であるかを判定する機能を備えた第２時間計測手段２６と、第２時間計測部２６がＱ秒未満と判定した場合に、テレビの電源をオンオフする電源信号を発生させるテレビオンオフ用制御信号を光信号発生部１３の信号発生器１９に入力する機能を備えた第２信号発生手段２７と、第２信号発生手段２７からのテレビオンオフ用制御信号を外部に出力するテレビ電源用信号出力端子２８とを有するテレビ電源操作用信号発生器２９が設けられている。
更に、第２時間計測手段２６には、第１時間計測手段２１がＰ秒以上と判定したことを受けてＰ秒経過信号を出力する機能が設けられ、第２信号発生手段２７には、Ｐ秒経過信号を受けて制御部１２に設けられたブザー３０の動作スイッチを短時間Ｘ秒（例えば、０．２〜０．５秒）オンにする接点信号を出力する機能と、テレビオンオフ用制御信号を光信号発生部１３の信号発生器１９に入力すると同時に動作確認用の第２の報知手段の一例であるブザー３０の動作スイッチを短時間Ｖ秒（例えば、０．２〜０．５秒）オンにする接点信号を出力する機能が設けられている。
【００２８】
このような構成とすることで、プッシュボタンスイッチ１１のオンからオフまでの時間をｔとすると、図４に示すように、プッシュボタンスイッチ１１のオンからオフの期間がＰ秒未満（すなわち、ｔ＜Ｐ）の場合には、光信号発生部１３からテレビのチャンネルを順次切り替えるチャンネル切り替え信号（ＴＶチャンネル信号）を発生させ、プッシュボタンスイッチ１１のオンからオフの期間がＰ秒以上でＱ秒未満（すなわち、Ｐ≦ｔ＜Ｑ）の場合には、Ｐ秒経過した時点でブザー接点信号を発生させてブザー３０を短時間動作させることができると共に、プッシュボタンスイッチ１１をオフした時点で光信号発生部１３からテレビの電源をオンオフする電源信号を発生させ、更にブザー３０を短時間作動させることができる。
なお、第１時間計測手段２１と第１信号発生手段２２を備えたチャンネル切り替え用信号発生器２３、及び第２時間計測手段２６と第２信号発生手段２７を備えたテレビ電源操作用信号発生器２９は、例えば、マイクロコンピュータに上記の各機能をそれぞれ発現するプログラムを搭載することにより構築することができる。
【００２９】
ここで、第１信号発生手段２２及び第２信号発生手段２７には、テレビ受像機の製造メーカー毎に対応するテレビの電源をオンオフする電源信号及びテレビのチャンネルを順次切り替える信号をそれぞれ信号発生器１９から発生させるために、テレビ受像機の製造メーカー毎に対応するテレビオンオフ用制御信号及びチャンネル切り替え用制御信号を発生させるプログラムが予め搭載されている。そして、指令信号条件設定部３１に設けられた切り替えスイッチを操作することにより、第１信号発生手段２２及び第２信号発生手段２７では特定の製造メーカーのテレビ受像機に対応する各プログラムのみが実行されるようになっている。また、第２時間計測手段２６には、Ｑ秒が異なる値に設定されてオンからオフまでの期間を検出するプログラムが複数搭載されており、指令信号条件設定部３１に設けられた切り替えスイッチを操作することにより、第２時間計測手段２６が検出するオンからオフまでの期間の長さを選択できる。
【００３０】
また、外部光信号発生ユニット１８は、チャンネル用信号出力端子２５及びテレビ電源用信号出力端子２８を介して制御部１２に接続されている。そして、外部光信号発生ユニット１８には、テレビの電源をオンオフする電源信号及びテレビのチャンネルを順次切り替える信号を発生する第２信号発生器３２と、第２信号発生器３２からの信号を光信号の一例である赤外線信号に変換する第２赤外線発光器３３とを有する第２の光信号発生部３４が設けられている。これによって、第２赤外線発光器３３からも、赤外線発光器２０と同一の光信号を発生させることができる。
【００３１】
更に、図４に示すように、制御部１２には、第２時間計測手段２６がＱ秒以上と判定したことを受けて、プッシュボタンスイッチ１１がオフとなるまでの期間がＲ秒（Ｑ＜Ｒ、例えば、Ｒ＝１０〜１５秒）未満であるかを判定する機能を備えた第３時間計測手段３５と、第３時間計測手段３５がＲ秒未満（すなわち、Ｑ≦ｔ＜Ｒ）と判定した場合に、動作確認用の報知手段の一例であるブザー３０の動作スイッチを一定時間Ｙ秒（例えば、１〜３秒）オンにする接点信号を出力する機能及び呼出装置（例えば、チャイムコール）３６の動作スイッチを一定時間Ｙオンする接点信号を発生する機能を備えた第３信号発生手段３７を有する接点信号発生器３８が設けられている。なお、接点信号発生器３８には、第３信号発生手段３７からの接点信号を外部に出力する接点信号出力端子３９が設けられており、呼出装置３６は接点信号出力端子３９を介して制御部１２と接続している。
【００３２】
また、第３時間計測手段３５には、プッシュボタンスイッチ１１がオフとなるまでの期間がＲ秒以上であること（すなわち、Ｒ＜ｔ）を確認してＲ秒経過信号を出力する機能が設けられ、第３信号発生手段３７には、Ｒ秒経過信号を受けてブザー３０の動作スイッチを所定時間Ｚ秒（例えば、３〜５秒）毎に一定時間Ｗ秒（例えば、１〜２秒）オンにする接点信号を出力すると共に、呼出装置３６の動作スイッチをオンする接点信号を所定時間Ｚ秒毎に一定時間Ｗ秒出力する機能が設けられている。
【００３３】
このような構成とすることにより、プッシュボタンスイッチ１１のオンからオフの期間がＱ秒以上でＲ秒未満である場合は、ブザー３０を一定時間Ｙ秒に渡って作動させると共に、呼出装置３６の動作スイッチを一定時間Ｙ秒に渡ってオンすることができる。また、プッシュボタンスイッチ１１のオンからオフの期間がＲ秒以上である場合は、ブザー３０を所定時間Ｚ秒毎に一定時間Ｗ秒に渡って作動させると共に、呼出装置３６の動作スイッチを所定時間Ｚ秒毎に一定時間Ｗ秒に渡ってオンすることができる。ここで、第３時間計測手段３５と第３信号発生手段３７を備えた接点信号発生器３８は、例えば、マイクロコンピュータに上記の各機能をそれぞれ発現するプログラムを搭載することにより構築することができる。
【００３４】
また、制御部１２には、電力源として電池を備えた電源部１４から出力電圧を測定して、出力電圧が一定電圧（２．５〜２．８Ｖ、例えば、２．６Ｖ）以上の場合は、チャンネル切り替え用信号発生器２３、テレビ電源操作用信号発生器２９、及び接点信号発生器３８に電力を供給し、出力電圧が一定電圧未満になった場合は、チャンネル切り替え用信号発生器２３の第１時間計測手段２１、テレビ電源操作用信号発生器２９の第２時間計測手段２６、及び接点信号発生器３８にのみ電力を供給する電圧監視部４０が設けられている。これによって、接点信号発生器３８の動作電圧を、チャンネル切り替え用信号発生器２３及びテレビ電源操作用信号発生器２９の動作電圧のいずれよりも低くすることができ、電源電圧が低下した場合、すなわち、電池が消耗して電圧が低下した場合、電池の更なる消耗をできるだけ抑制して、接点信号発生器３８の動作を維持することができると共に、テレビ操作ができなくなったことで電池が消耗したことが判り、電池交換の目安を得ることができる。
なお、図３では、外部スイッチ入力端子２４を挟んで一側にチャンネル用信号出力端子２５及びテレビ電源用信号出力端子２８を、他側に接点信号出力端子３９をそれぞれ設けたが、一側に接点信号出力端子を設け、他側にチャンネル用信号出力端子及びテレビ電源用信号出力端子を設けるようにすることもできる。
【００３５】
また、図１では、制御部１２、光信号発生部１３、電源部１４、及び指令信号条件設定部３１をケース１６内に内蔵するようにしたが、図５（Ａ）、（Ｂ）に示すように、光信号発生部を、ケース４４に内蔵した図示しない信号発生器と、保護カバー４１を備えた赤外線発光器４２と、信号発生器及び赤外線発光器４２を接続し信号発生器側に図示しないケーブル巻き取り機構を備えた長尺ケーブル４３とを有する構成とし、赤外線発光器４２をケース４４の一端側に設けた装入穴４５内に取り出し可能に収容するようにしてもよい。これによって、赤外線発光器４２をケース４４の装入穴４５内に収容させた状態でテレビの操作を行なうことができると共に、必要に応じて赤外線発光器４２をケース４４の装入穴４５内から取り出し、テレビを確実に操作できる場所に設置してテレビの操作をすることができる。
【００３６】
次に、本考案の一実施の形態に係る接点出力付き１入力リモコン１０の動作について説明する。
図６に示すように、電源部１４に電池をセットすると（Ｓ−１）、接点出力付き１入力リモコン１０は待機状態になり、電圧監視部４０が作動して電源電圧が一定電圧（例えば、２．６Ｖ）以上であるかを判定する（Ｓ−２）。次いで、プッシュボタンスイッチ１１が操作されてスイッチがオン状態であるかを判定する（Ｓ−３）。スイッチがオン状態でない場合、再度、電源電圧が一定電圧以上であるかの判定を行ない、スイッチがオン状態になるまで繰り返す。
【００３７】
スイッチがオン状態であると判定された場合、第１時間計測手段２１でスイッチがオンされてからオフになるまでの期間がＰ秒、例えば、１秒未満であるか判定し（Ｓ−４）、スイッチがオンされてからＰ秒未満でオフになった場合、第１信号発生手段２２が作動してチャンネル切り替え用制御信号が発生し（Ｓ−５）、チャンネル切り替え用制御信号は光信号発生部１３の信号発生器１９に入力され、赤外線発光器２０からチャンネルを順次切り替えるチャンネル切り替え信号が発生する（Ｓ−６）。そして、接点出力付き１入力リモコン１０は待機状態に戻って、電源電圧が一定電圧以上であるかの判定を行なう（Ｓ−２）。
【００３８】
第１時間計測手段２１でスイッチがオンされてからオフになるまでの期間がＰ秒以上と判定された場合、第２時間計測手段２６からＰ秒（すなわち、１秒）経過信号が第２信号発生手段２７に出力され、第２信号発生手段２７からブザー接点信号が発生しブザー３０を短時間動作する（Ｓ−７）。
【００３９】
次いで、第２時間計測手段２６でスイッチがオンされてからオフになるまでの期間がＱ秒、例えば、３秒未満であるか判定し（Ｓ−８）、スイッチがオンされてからＱ秒未満でオフになった場合、第２信号発生手段２７が作動してテレビオンオフ用制御信号が発生し（Ｓ−９）、テレビオンオフ用制御信号は光信号発生部１３の信号発生器１９に入力され、赤外線発光器２０からテレビの電源をオンオフする光信号が発生すると共に、ブザー３０が短時間作動する（Ｓ−１０）。これによって、テレビ受像機がオンしていない場合はテレビの電源がオンし、テレビ受像機がオンしている場合はオフとなる。そして、接点出力付き１入力リモコン１０は待機状態に戻って、電源電圧が一定電圧以上であるかの判定を行なう（Ｓ−２）。
【００４０】
スイッチがオンされてからＱ秒、例えば、３秒以上になった場合、更に第３時間計測手段３５でスイッチがオフになるまでの期間がＲ秒、例えば１０秒未満であるか判定がなされ（Ｓ−１１）、スイッチがオンされてからＲ秒未満でオフになった場合、第３信号発生手段３７から呼出装置３６を一定時間Ｙ秒（例えば、１〜３秒）に渡ってオンする接点信号が発生する（Ｓ−１２）と共に、ブザー３０を一定時間Ｙ秒に渡ってオンにする接点信号が出力される（Ｓ−１３）。これによって、接点信号出力端子３９を介して呼出装置３６をオンする接点信号が呼出装置３６に入力される。その後、接点出力付き１入力リモコン１０は待機状態に戻って、電源電圧が一定電圧以上であるかの判定を行なう（Ｓ−２）。
【００４１】
一方、第３時間計測手段３５でスイッチがＲ秒、例えば、１０秒以上に渡ってオンの状態が検出されると、第３時間計測手段３５からＲ秒経過信号が第３信号発生手段３７に出力され、第３信号発生手段３７ではＲ秒経過信号を受けて、呼出装置３６を所定時間Ｚ秒（例えば、３秒）毎に一定時間Ｗ秒（例えば、１秒）オンする接点信号を発生する（Ｓ−１４）と共に、ブザー３０を所定時間Ｚ秒毎に一定時間Ｗ秒オンにする接点信号を出力する（Ｓ−１５）。
【００４２】
電源監視部４０で電源電圧が一定電圧未満であることが検出された場合、プッシュボタンスイッチ１１が操作されてスイッチがオン状態であるかが判定される（Ｓ−１６）。スイッチがオン状態でない場合、再度、電源電圧が一定電圧以上であるかの判定を行ない、スイッチがオン状態になるまで繰り返す。
【００４３】
スイッチがオン状態であると判定された場合、第２時間計測手段２６でスイッチがオンされてからオフになるまでの期間がＱ秒、例えば、３秒未満であるか判定し（Ｓ−１７）、スイッチがオンされてからＱ秒未満でオフになった場合、接点出力付き１入力リモコン１０は待機状態に戻って、電源電圧が一定電圧以上であるかの判定を行なう（Ｓ−２）。
【００４４】
一方、スイッチがオンされてからオフされるまでの期間がＱ秒、例えば、３秒以上である場合は、更に第３時間計測手段３５でスイッチがオフになるまでの期間がＲ秒、例えば１０秒未満であるか判定がなされ（Ｓ−１１）、スイッチがオンされてからＲ秒未満でオフになった場合、第３信号発生手段３７から呼出装置３６を一定時間Ｙ秒（例えば、１〜３秒）に渡ってオンする接点信号が発生する（Ｓ−１２）と共に、ブザー３０を一定時間Ｙ秒に渡ってオンにする接点信号が出力されて（Ｓ−１３）、その後、接点出力付き１入力リモコン１０は待機状態に戻って、電源電圧が一定電圧以上であるかの判定を行なう（Ｓ−２）。
【００４５】
また、第３時間計測手段３５でスイッチがＲ秒、例えば、１０秒以上に渡ってオンの状態が検出されると、第３時間計測手段３５からＲ秒経過信号が第３信号発生手段３７に出力され、第３信号発生手段３７ではＲ秒経過信号を受けて、呼出装置３６を所定時間Ｚ秒（例えば、３秒）毎に一定時間Ｗ秒（例えば、１秒）オンする接点信号を発生する（Ｓ−１４）と共に、ブザー３０を所定時間Ｚ秒毎に一定時間Ｗ秒オンにする接点信号を出力する（Ｓ−１５）。
【００４６】
以上、本考案の実施の形態を説明したが、本考案は、この実施の形態に限定されるものではなく、考案の要旨を変更しない範囲での変更は可能であり、前記したそれぞれの実施の形態や変形例の一部又は全部を組み合わせて本考案の接点出力付き１入力リモコンを構成する場合も本考案の権利範囲に含まれる。
例えば、外部光信号発生ユニットを接続して、第２の光信号発生部と光信号発生部がいずれも作動するようにしたが、切り替えスイッチを設けて第２の光信号発生部のみが作動するようにしてもよい。また、接点信号発生器から接点信号を出力させる条件となる時間Ｑ秒を指令信号条件設定部の切り替えスイッチで設定したが、テレビ電源のオンオフ信号を発生する条件となる時間Ｐ秒を指令信号条件設定部の切り替えスイッチで設定できるようにしてもよい。更に、呼出装置とブザーを繰り返し作動させる接点信号を発生する条件となる時間Ｒ秒も指令信号条件設定部の切り替えスイッチで設定できるようにしてもよい。
【００４７】
更に、接点信号の出力と同時に作動する動作確認用の報知手段とテレビオンオフ用制御信号の出力と同時に作動する動作確認用の第２の報知手段を一つのブザー３０で兼用するようにしたが、報知手段及び第２の報知手段としてそれぞれ別個のブザーを設けるようにしてもよい。接点信号の出力確認用と、テレビオンオフ用制御信号の出力確認用にそれぞれブザー設けることにより、呼出装置の操作及びテレビの操作において最適なブザー音を選択して使用することができる。
【００４８】
また、報知手段及び第２の報知手段のいずれか一方をブザーで構成し、他方をバイブレータ及び発光器（例えば、発光ダイオードやランプ）のいずれか１でそれぞれ構成してもよい。更に、報知手段及び第２の報知手段のいずれか一方をバイブレータで、他方を発光器でそれぞれ構成することも、報知手段及び第２の報知手段の双方をバイブレータ及び発光器のいずれか一方で構成することもできる。ブザーの代りにバイブレータや発光器を使用することで、周囲の迷惑になる音の発生を防止することができると共に、聴覚障害者に対しては呼出装置の動作スイッチオン又は／及びテレビの操作が行なわれたことを確実に伝えることができる。
【図面の簡単な説明】
【００４９】
【図１】本考案の一実施の形態に係る接点出力付き１入力リモコンのブロック図である。
【図２】（Ａ）、（Ｂ）、（Ｃ）、及び（Ｄ）はそれぞれ同接点出力付き１入力リモコンの正面図、側面図、背面図、及び平面図である。
【図３】同接点出力付き１入力リモコンに外部光信号発生ユニット及び外部スイッチを接続した状態を示す説明図である。
【図４】同接点出力付き１入力リモコンのプッシュボタンスイッチの操作と、テレビオンオフ用制御信号の発生、チャンネル切り替え用制御信号の発生、呼出装置用の接点信号の発生、及びブザー用の接点信号の発生との関係を示す説明図である。
【図５】（Ａ）、（Ｂ）はそれぞれ同接点出力付き１入力リモコンの変形例に係る斜視図である。
【図６】同接点出力付き１入力リモコンの動作状況を示すフロー図である。
【符号の説明】
【００５０】
１０：接点出力付き１入力リモコン、１１：プッシュボタンスイッチ、１２：制御部、１３：光信号発生部、１４：電源部、１５：操作部、１６：ケース、１７：外部スイッチ、１８：外部光信号発生ユニット、１９：信号発生器、２０：赤外線発生器、２１：第１時間計測手段、２２：第１信号発生手段、２３：チャンネル切り替え用信号発生器、２４：外部スイッチ入力端子、２５：チャンネル用信号出力端子、２６：第２時間計測手段、２７：第２信号発生手段、２８：テレビ電源用信号出力端子、２９：テレビ電源操作用信号発生器、３０：ブザー、３１：指令信号条件設定部、３２：第２信号発生器、３３：第２赤外線発光器、３４：第２の光信号発生部、３５：第３時間計測手段、３６：呼出装置、３７：第３信号発生手段、３８：接点信号発生器、３９：接点信号出力端子、４０：電圧監視部、４１：保護カバー、４２：赤外線発光器、４３：長尺ケーブル、４４：ケース、４５：装入穴
【図１】
0003113293.tif 000003
【図２】
0003113293.tif 000004
【図３】
0003113293.tif 000005
【図４】
0003113293.tif 000006
【図５】
0003113293.tif 000007
【図６】
0003113293.tif 000008